(57)【要約】【課題】第三者への漏洩を防止しつつ、状態変化を特定の相手に伝える。【解決手段】第１の移動端末と、第２の移動端末と、情報処理装置とを備える通知システムにおける情報処理装置は、無線通信する無線通信部と、無線通信部における第１の移動端末との接続状態を判定する判定部と、判定部が判定した接続状態に応じた通知データを生成する生成部と、生成部が生成した通知データを、第２の移動端末と共有している暗号鍵で暗号化する暗号化部と、暗号化部が暗号化した通知データを無線通信部から送信する状態通知部と、を備える。【選択図】図１
2017143380.tif 000002
【特許請求の範囲】
【請求項１】
第１の移動端末と、第２の移動端末と、情報処理装置とを備える通知システムにおける前記情報処理装置であって、
無線通信する無線通信部と、
前記無線通信部における前記第１の移動端末との接続状態を判定する判定部と、
前記判定部が判定した接続状態に応じた通知データを生成する生成部と、
前記生成部が生成した前記通知データを、前記第２の移動端末と共有している暗号鍵で暗号化する暗号化部と、
前記暗号化部が暗号化した通知データを前記無線通信部から送信する状態通知部と、
を備えることを特徴とする情報処理装置。
【請求項２】
前記判定部は、所定時間毎に前記第１の移動端末との接続状態を判定し、
前記状態通知部は、通信に関する第１のＳＳＩＤ（Ｓｅｒｖｉｃｅ  Ｓｅｔ  Ｉｄｅｎｔｉｆｉｅｒ）と異なる第２のＳＳＩＤとして前記通知データを送信する
ことを特徴とする請求項１に記載の情報処理装置。
【請求項３】
前記状態通知部は、前記通知データを要求するプローブ要求に対するプローブ応答として前記通知データを送信する
ことを特徴とする請求項１に記載の情報処理装置。
【請求項４】
前記第２の移動端末の使用者を記憶する記憶部を備え、
前記判定部は、前記プローブ要求の送信者が、前記記憶部が記憶する使用者と一致する場合に、前記第１の移動端末との接続状態を判定する
ことを特徴とする請求項３に記載の情報処理装置。
【請求項５】
前記判定部は、前記プローブ要求の送信時刻が所定の規定時間内である場合に、前記第１の移動端末との接続状態を判定する
ことを特徴とする請求項３または４に記載の情報処理装置。
【請求項６】
前記判定部は、現在時刻が予め設定された時間帯内である場合に、前記第１の移動端末との接続状態を判定する
ことを特徴とする請求項３から５いずれか１項に記載の情報処理装置。
【請求項７】
前記判定部が判定した接続状態に応じて、前記プローブ要求の受信を報知する報知部、
を備えることを特徴とする請求項３から６いずれか１項に記載の情報処理装置。
【請求項８】
前記通知データは、前記第１の移動端末との接続状態に応じた送信データとダミーデータとを含む
ことを特徴とする請求項１から７いずれか１項に記載の情報処理装置。
【請求項９】
前記第１の移動端末は、前記情報処理装置が設置された住居の居住者が携帯する移動端末であり、
前記通知データは、前記居住者が在宅であるか不在であるかを通知するデータである
ことを特徴とする請求項１から８いずれか１項に記載の情報処理装置。
【請求項１０】
第１の移動端末と、第２の移動端末と、情報処理装置とを備える通知システムであって、
前記情報処理装置は、
無線通信する無線通信部と、
前記無線通信部における前記第１の移動端末との接続状態を判定する判定部と、
前記判定部が判定した接続状態に応じた通知データを生成する生成部と、
前記生成部が生成した前記通知データを、前記第２の移動端末と共有している暗号鍵で暗号化する暗号化部と、
前記暗号化部が暗号化した通知データを前記無線通信部から送信する状態通知部と、
を備え、
前記第２の移動端末は、前記情報処理装置が送信した前記通知データを受信し、受信した通知データを前記情報処理装置と共有している暗号鍵で復号化する
ことを特徴とする通知システム。
【請求項１１】
第１の移動端末と、第２の移動端末と、情報処理装置とを備える通知システムにおける前記情報処理装置のコンピュータに、
無線通信する無線通信部における前記第１の移動端末との接続状態を判定する判定ステップと、
前記判定ステップが判定した接続状態に応じて通知データを生成する生成ステップと、
前記生成ステップが生成した前記通知データを、前記第２の移動端末と共有している暗号鍵で暗号化する暗号化ステップと、
前記暗号化ステップが暗号化した通知データを前記無線通信部から送信する状態通知ステップと、
を実行させるためのプログラム。
【発明の詳細な説明】
【技術分野】
【０００１】
本発明は、情報処理装置、通知システム及びプログラムに関する。
【背景技術】
【０００２】
特許文献１には、アクセスポイントの状態変化を周囲に報知する方法として、無線ＬＡＮ（Ｌｏｃａｌ  Ａｒｅａ  Ｎｅｔｗｏｒｋ）のＳＳＩＤ（Ｓｅｒｖｉｃｅ  Ｓｅｔ  Ｉｄｅｎｔｉｆｉｅｒ）を接続用ＳＳＩＤから通知用ＳＳＩＤへ変更する方法が記載されている。
【先行技術文献】
【特許文献】
【０００３】
【特許文献１】特開２０１５−１７１０２５号公報
【発明の概要】
【発明が解決しようとする課題】
【０００４】
しかしながら、特許文献１に記載された技術では、ＳＳＩＤは誰でも読みとることができるため、状態変化を伝えたい相手以外の第三者が、状態変化を把握できてしまう、という問題がある。
【０００５】
本発明は、上記した事情に鑑みてなされたもので、第三者への漏洩を防止しつつ、状態変化を特定の相手に伝えることができる情報処理装置、通知システム及びプログラムを提供することを目的の一つとする。
【課題を解決するための手段】
【０００６】
本発明の一態様は、第１の移動端末と、第２の移動端末と、情報処理装置とを備える通知システムにおける前記情報処理装置であって、無線通信する無線通信部と、前記無線通信部における前記第１の移動端末との接続状態を判定する判定部と、前記判定部が判定した接続状態に応じた通知データを生成する生成部と、前記生成部が生成した前記通知データを、前記第２の移動端末と共有している暗号鍵で暗号化する暗号化部と、前記暗号化部が暗号化した通知データを前記無線通信部から送信する状態通知部と、を備えることを特徴とする情報処理装置である。
【０００７】
また、本発明の一態様は、第１の移動端末と、第２の移動端末と、情報処理装置とを備える通知システムであって、前記情報処理装置は、無線通信する無線通信部と、前記無線通信部における前記第１の移動端末との接続状態を判定する判定部と、前記判定部が判定した接続状態に応じた通知データを生成する生成部と、前記生成部が生成した前記通知データを、前記第２の移動端末と共有している暗号鍵で暗号化する暗号化部と、前記暗号化部が暗号化した通知データを前記無線通信部から送信する状態通知部と、を備え、前記第２の移動端末は、前記情報処理装置が送信した前記通知データを受信し、受信した通知データを前記情報処理装置と共有している暗号鍵で復号化することを特徴とする通知システムである。
【０００８】
また、本発明の一態様は、第１の移動端末と、第２の移動端末と、情報処理装置とを備える通知システムにおける前記情報処理装置のコンピュータに、無線通信する無線通信部における前記第１の移動端末との接続状態を判定する判定ステップと、前記判定ステップが判定した接続状態に応じて通知データを生成する生成ステップと、前記生成ステップが生成した前記通知データを、前記第２の移動端末と共有している暗号鍵で暗号化する暗号化ステップと、前記暗号化ステップが暗号化した通知データを前記無線通信部から送信する状態通知ステップと、を実行させるためのプログラムである。
【発明の効果】
【０００９】
本発明によれば、第三者への漏洩を防止しつつ、状態変化を特定の相手に伝えることができる。
【図面の簡単な説明】
【００１０】
【図１】本発明の第１の実施形態に係る通知システムの構成の一例を示す概略図である。
【図２】本発明の第１の実施形態に係る情報処理装置の構成の一例を示す概略ブロック図である。
【図３】本発明の第１の実施形態に係る接続状態管理テーブルのデータ構造及びデータ例を示す概略図である。
【図４】本発明の第１の実施形態に係る共通鍵管理テーブルのデータ構造及びデータ例を示す概略図である。
【図５】本発明の第１の実施形態に係る情報処理装置が第２のＳＳＩＤを送信するタイミングを示すタイムチャートである。
【図６】本発明の第１の実施形態に係る情報処理装置が実行する通知処理の処理手順を示すフローチャートである。
【図７】本発明の第１の実施形態に係る宅配事業者用移動端末が実行する通知処理の処理手順を示すフローチャートである。
【図８】本発明の第２の実施形態に係る通知システムの構成の一例を示す概略図である。
【図９】本発明の第２の実施形態に係る情報処理装置の構成の一例を示す概略ブロック図である。
【図１０】本発明の第２の実施形態に係る事業者管理テーブルのデータ構造及びデータ例を示す概略図である。
【図１１】本発明の第２の実施形態に係る接続状態管理テーブルのデータ構造及びデータ例を示す概略図である。
【図１２】本発明の第２の実施形態に係る情報処理装置が実行する通知処理の処理手順を示すフローチャートである。
【図１３】本発明の第２の実施形態に係る宅配事業者用移動端末が実行する通知処理の処理手順を示すフローチャートである。
【図１４】本発明の第４の実施形態に係る事業者管理テーブルのデータ構造及びデータ例を示す概略図である。
【図１５】本発明の実施形態に係る情報処理装置のハードウェア構成の一例を示すハードウェア構成図である。
【発明を実施するための形態】
【００１１】
以下、図面を参照しながら本発明の実施形態について詳しく説明する。なお、各図において同一部分には同一符号を付している。
【００１２】
（第１の実施形態）
まず、本発明の第１の実施形態について説明する。図１は、本発明の第１の実施形態に係る通知システム１の構成の一例を示す概略図である。本図に示すように、通知システム１は、情報処理装置１０と、居住者用移動端末２０（第１の移動端末）と、宅配事業者用移動端末３０（第２の移動端末）と、を含んで構成される。通知システム１は、居住者の状態（在宅または不在）を宅配事業者に通知するシステムである。
【００１３】
情報処理装置１０は、住居等に設置された無線ＬＡＮ等のアクセスポイントである。居住者用移動端末２０は、情報処理装置１０が設置された住居の居住者が携帯する携帯電話機やスマートフォン、タブレット端末等の携帯端末である。宅配事業者用移動端末３０は、宅配事業者が携帯する携帯電話機やスマートフォン、タブレット端末等の携帯端末である。
【００１４】
情報処理装置１０は、居住者用移動端末２０との接続状態と、宅配事業者に送信する送信データとを対応付けた接続状態管理テーブルを予め記憶している。情報処理装置１０は、居住者用移動端末２０との接続状態を定期的（例えば、１５分毎）に確認する。そして、情報処理装置１０は、確認した接続状態に応じた送信データとダミーデータとを含む通知データを、予め宅配事業者用移動端末３０と共有している暗号鍵（共通鍵）で暗号化する。通知データは、居住者が在宅であるか不在であるかを通知するデータである。その後、情報処理装置１０は、暗号化した通知データを第２のＳＳＩＤとするビーコンを送信する。第２のＳＳＩＤは、居住者用移動端末２０の通信に関する居住者通信用の第１のＳＳＩＤと異なる状態通知用のＳＳＩＤである。
【００１５】
宅配事業者用移動端末３０は、宅配事業者による配送先への宅配物配送において、配送先宅の近所でＳＳＩＤ（通知データ）をサーチして受信する。宅配事業者用移動端末３０は、検知して受信したＳＳＩＤを情報処理装置１０と共有している暗号鍵（共通鍵）で平文に復号化し、居住者の状態（在宅または不在）を判定する。そして、宅配事業者用移動端末３０は、判定した居住者の状態を表示する等して宅配事業者に報知する。
【００１６】
次に、情報処理装置１０について説明する。図２は、本発明の第１の実施形態に係る情報処理装置１０の構成の一例を示す概略ブロック図である。情報処理装置１０は、制御部１１と、無線通信部１２と、操作部１３と、記憶部１４と、回線Ｉ／Ｆ（インターフェース）部１５と、表示部１６と、計時部１７と、を含んで構成される。
【００１７】
制御部１１は、ＣＰＵ（Ｃｅｎｔｒａｌ  Ｐｒｏｃｅｓｓｉｎｇ  Ｕｎｉｔ；中央演算処理装置）から構成され、情報処理装置１０を制御する。制御部１１は、判定部１１１と、生成部１１２と、暗号化部１１３と、状態通知部１１４と、を含んで構成される。
【００１８】
判定部１１１は、所定時間毎に、無線通信部１２における居住者用移動端末２０との接続状態を判定する。例えば、判定部１１１は、計時部１７から所定時間（例えば、１５分）毎のタイマーの通知を受信する。そして、判定部１１１は、計時部１７から通知を受信すると、居住者用移動端末２０との接続状態を無線通信部１２に確認する。
【００１９】
生成部１１２は、判定部１１１が判定した接続状態に応じた通知データを生成する。例えば、生成部１１２は、判定部１１１が判定した接続状態に対応する送信データを記憶部１４に記憶されている接続状態管理テーブルから読み出す。また、生成部１１２は、計時部１７から現在の日時情報を読み出す。日時情報は、日付及び時刻を含む情報である。本実施形態では、日時情報がダミーデータである。そして、制御部１１は、送信データと日時情報とを含む通知データを生成する。
【００２０】
暗号化部１１３は、生成部１１２が生成した通知データを、宅配事業者用移動端末３０と共有している暗号鍵（共通鍵）で暗号化する。例えば、暗号化部１１３は、記憶部１４が記憶している共通鍵で通知データを暗号化する。
【００２１】
状態通知部１１４は、暗号化部１１３が暗号化した通知データを、通信に関する第１のＳＳＩＤと異なる第２のＳＳＩＤとして無線通信部１２から送信する。例えば、状態通知部１１４は、通知データを第２のＳＳＩＤとするビーコンを無線通信部１２から送信する。
【００２２】
無線通信部１２は、居住者用移動端末２０または宅配事業者用移動端末３０との間で、無線でのデータ送受信（無線通信）を行う。操作部１３は、電源スイッチ等から構成され、情報処理装置１０の電源ＯＮ／ＯＦＦを操作する。
【００２３】
記憶部１４は、居住者用移動端末２０との「接続状態」と、宅配事業者用移動端末３０に送信する「送信データ」とを対応付けた接続状態管理テーブルを記憶する。また、記憶部１４は、「共通鍵」と、「宅配事業者」とを対応付けた共通鍵管理テーブルを記憶する。
【００２４】
回線Ｉ／Ｆ部１５は、回線（例えば、インターネット等）側とデータを送受信する。表示部１６は、ＬＥＤ（Ｌｉｇｈｔ  Ｅｍｉｔｔｉｎｇ  Ｄｉｏｄｅ）等で構成され、電源ＯＮ／ＯＦＦ状態や、データの送受信状態や、ＳＳＩＤ毎のアクティブ/非アクティブ等、情報処理装置１０の各種ステータスを表示する。
【００２５】
計時部１７は、Ｘ‘ｔａｌ（水晶発振子）等で構成され、現在の日付、時刻を保持する。また、計時部１７は、外部サーバ（不図示）等から日時情報を受信し、日時を補正する。また、計時部１７は、所定時間（例えば１５分)を計測し、タイマーとして制御部１１に通知する。また、計時部１７は、制御部１１からの指示に基づき、現在の日時情報を制御部１１に通知する。
【００２６】
次に、情報処理装置１０の記憶部１４が記憶する接続状態管理テーブルについて説明する。図３は、本発明の第１の実施形態に係る接続状態管理テーブルのデータ構造及びデータ例を示す概略図である。
【００２７】
図示するように、接続状態管理テーブルは、移動端末(居住者)状態と、送信データと、ダミーデータとの各項目を有する。移動端末（居住者）状態は、情報処理装置１０と居住者用移動端末２０との接続状態である。送信データは、宅配事業者用移動端末３０に送信するデータである。ダミーデータは、送信データに付加するデータである。
【００２８】
本例では、移動端末（居住者）状態「接続」に対応する送信データは「山田在宅」であり、ダミーデータは「１２０４１１０９（送信日時などの可変値）」である。また、移動端末（居住者）状態「未接続」に対応する送信データは「山田不在」であり、ダミーデータは「１２０４１９３４（送信日時などの可変値）」である。
【００２９】
次に、情報処理装置１０の記憶部１４が記憶する共通鍵管理テーブルについて説明する。図４は、本発明の第１の実施形態に係る共通鍵管理テーブルのデータ構造及びデータ例を示す概略図である。
【００３０】
図示するように、共通鍵管理テーブルは、共通鍵と、宅配事業者との各項目を有する。共通鍵は、宅配事業者（宅配事業者用移動端末３０）と共有している暗号鍵である。また、宅配事業者は、共通鍵を共有している宅配事業者である。本例では、共通鍵「％ｕｔｇＩｂ＋ｇｚＬ」に対応する宅配事業者は「△△運輸」である。
【００３１】
次に、情報処理装置１０が第２のＳＳＩＤを送信するタイミングについて説明する。図５は、本発明の第１の実施形態に係る情報処理装置１０が第２のＳＳＩＤを送信するタイミングを示すタイムチャートである。本図において、横軸は時間である。図示するように、情報処理装置１０は、所定時間Ｔ１（例えば、１５分）毎に第２のＳＳＩＤを送信する。図示する例では、情報処理装置１０は、時刻ｔｎに第２のＳＳＩＤを送信し、その後、時刻ｔｎから時間Ｔ１後の時刻ｔｎ＋１に第２のＳＳＩＤを送信する。そして、情報処理装置１０は、時刻ｔｎ＋１から時間Ｔ１後の時刻ｔｎ＋２に第２のＳＳＩＤを送信する。その後、情報処理装置１０は、時刻ｔｎ＋２から時間Ｔ１後の時刻ｔｎ＋３に第２のＳＳＩＤを送信する。
【００３２】
次に、情報処理装置１０が実行する通知処理について説明する。図６は、本発明の第１の実施形態に係る情報処理装置１０が実行する通知処理の処理手順を示すフローチャートである。
【００３３】
（ステップＳ１０１）制御部１１は、計時部１７からの通知を待つ。すなわち、制御部１１は、計時部１７から所定時間毎のタイマーの通知を受信したか否かを判定する。通知を受信したと制御部１１が判定した場合にはステップＳ１０２の処理に進む。また、通知を受信していないと制御部１１が判定した場合にはステップＳ１０１の処理を再度実行する。
（ステップＳ１０２）制御部１１は、居住者用移動端末２０との「接続状態」を無線通信部１２に確認する。その後、ステップＳ１０３の処理に進む。
【００３４】
（ステップＳ１０３）制御部１１は、ステップＳ１０２において確認した「接続状態」に対応した「送信データ」を、記憶部１４に記憶されている接続状態管理テーブルから読み出す。また、制御部１１は、計時部１７から「日時情報」を読み出す。そして、制御部１１は、読み出した「送信データ」と読み出した「日時情報」とを合わせて「通知データ」とする。続いて、制御部１１は、生成した「通知データ」を共通鍵で暗号化する。その後、ステップＳ１０４の処理に進む。
【００３５】
（ステップＳ１０４）制御部１１は、ステップＳ１０３において暗号化した通知データを第２のＳＳＩＤとして無線通信部１２から送信する。その後、ステップＳ１０１の処理に戻る。
【００３６】
次に、宅配事業者用移動端末３０が実行する通知処理について説明する。図７は、本発明の第１の実施形態に係る宅配事業者用移動端末３０が実行する通知処理の処理手順を示すフローチャートである。
【００３７】
（ステップＳ２０１）宅配事業者用移動端末３０は、配送先の近所であるか否かを判定する。近所であると宅配事業者用移動端末３０が判定した場合にはステップＳ２０２の処理に進む。また、近所でないと宅配事業者用移動端末３０が判定した場合にはステップＳ２０１の処理を再度実行する。
（ステップＳ２０２）宅配事業者用移動端末３０は、ＳＳＩＤをサーチする。ＳＳＩＤを検知した場合にはステップＳ２０３の処理に進む。また、ＳＳＩＤを検知していない場合にはステップＳ２０２の処理を再度実行する。
【００３８】
（ステップＳ２０３）宅配事業者用移動端末３０は、ステップＳ２０２において検知したＳＳＩＤを共通鍵で復号化し、平文に変換する。その後、ステップＳ２０４の処理に進む。
（ステップＳ２０４）宅配事業者用移動端末３０は、ステップＳ２０３において変換した平文に基づいて、居住者が在宅であるか不在であるかを判定する。そして、宅配事業者用移動端末３０は、判定した結果を報知する。その後、ステップＳ２０１の処理に戻る。
【００３９】
以上説明してきたように、本実施形態によれば、居住者用移動端末２０と、宅配事業者用移動端末３０と、情報処理装置１０とを備える通知システム１における情報処理装置１０は、無線通信する無線通信部１２と、所定時間毎に無線通信部１２における居住者用移動端末２０との接続状態を判定する判定部１１１と、判定部１１１が判定した接続状態に応じて通知データを生成する生成部１１２と、生成部１１２が生成した通知データを、宅配事業者用移動端末３０と共有している暗号鍵で暗号化する暗号化部１１３と、暗号化部１１３が暗号化した通知データを、通信に関する第１のＳＳＩＤと異なる第２のＳＳＩＤとして無線通信部１２から送信する状態通知部１１４と、を備える。通知データは、居住者用移動端末２０を携帯する居住者が在宅であるか不在であるかを通知するデータである。
【００４０】
これにより、宅配事業者用移動端末３０を携帯している宅配事業者のみが、居住者の状態（在宅であるか不在であるか）を確認することができる。すなわち、通知システム１によれば、第三者への漏えいを防止しつつ、居住者の状態変化を特定の相手に伝えることができる。
【００４１】
また、通知データは、居住者用移動端末２０との接続状態に応じた送信データとダミーデータとを含む。ダミーデータは、日時情報である。これにより、暗号化後の通知データにランダム性を持たせることができるため、第三者への漏えいに対する安全性がより向上する。
【００４２】
（第２の実施形態）
次に、本発明の第２の実施形態について説明する。図８は、本発明の第２の実施形態に係る通知システム１Ａの構成の一例を示す概略図である。本図に示すように、通知システム１Ａは、情報処理装置１０Ａと、居住者用移動端末２０（第１の移動端末）と、宅配事業者用移動端末３０Ａ（第２の移動端末）と、を含んで構成される。通知システム１Ａは、居住者の状態（在宅または不在）を宅配事業者に通知するシステムである。なお、本図において、第１の実施形態における通知システム１と同一の構成には同一符号を付し、その説明を省略する。
【００４３】
情報処理装置１０Ａは、住居等に設置された無線ＬＡＮ等のアクセスポイントである。宅配事業者用移動端末３０Ａは、宅配事業者が携帯する携帯電話機やスマートフォン、タブレット端末等の携帯端末である。情報処理装置１０Ａと宅配事業者用移動端末３０Ａとは、予めワンタイムパスワード機能を共有している。
【００４４】
情報処理装置１０Ａは、Ｐｒｏｂｅ  Ｒｅｑｕｅｓｔ（プローブ要求）を宅配事業者用移動端末３０Ａから受信すると、予め宅配事業者用移動端末３０Ａと共有しているワンタイムパスワード用のｓｅｅｄ（共通鍵）で、受信したＰｒｏｂｅ  ＲｅｑｕｅｓｔのＳＳＩＤを復号化し、平文に変換する。当該平文には、宅配事業者名（宅配事業者（宅配事業者用移動端末３０Ａ）を識別する識別情報）と、日時情報とが含まれる。そして、情報処理装置１０Ａは、変換した平文が、以下の条件（１）を満たす場合に、居住者用移動端末２０との接続状態を確認する。条件（１）は、平文にある宅配事業者名が、復号化に用いたｓｅｅｄに対応する宅配事業者と一致し、かつ、平文にある日時情報が現在の日時から規定時間（例えば、３分）以内であることである。その後、情報処理装置１０Ａは、確認した接続状態に対応した「送信データ」と現在の「日時情報」とを含む通知データをｓｅｅｄで暗号化する。そして、情報処理装置１０Ａは、Ｐｒｏｂｅ  ｒｅｓｐｏｎｓｅ（プローブ応答）のＶｅｎｄｏｒ  Ｓｐｅｃｉｆｉｃ等に、暗号化した通知データを埋め込み返信する。
【００４５】
宅配事業者用移動端末３０Ａは、配送先宅の近所にくると、宅配事業者名と、現在の日時情報とをｓｅｅｄで暗号化する。そして、宅配事業者用移動端末３０Ａは、暗号化したデータをＳＳＩＤとするＰｒｏｂｅ  Ｒｅｑｕｅｓｔを送信する。その後、宅配事業者用移動端末３０Ａは、Ｐｒｏｂｅ  ｒｅｓｐｏｎｓｅを受信すると、Ｐｒｏｂｅ  ｒｅｓｐｏｎｓｅに含まれる通知データをｓｅｅｄで復号化して平文に変換する。そして、宅配事業者用移動端末３０Ａは、平文に含まれる送信データ及び日時情報に基づいて居住者の状態（在宅または不在）を判定する。そして、宅配事業者用移動端末３０Ａは、判定した居住者の状態を表示する等して宅配事業者に報知する。
【００４６】
次に、情報処理装置１０Ａについて説明する。図９は、本発明の第２の実施形態に係る情報処理装置１０Ａの構成の一例を示す概略ブロック図である。情報処理装置１０Ａは、制御部１１Ａと、無線通信部１２と、操作部１３と、記憶部１４Ａと、回線Ｉ／Ｆ（インターフェース）部１５と、表示部１６と、計時部１７Ａと、を含んで構成される。なお、本図において、第１の実施形態における情報処理装置１０と同一の構成には同一符号を付し、その説明を省略する。
【００４７】
制御部１１Ａは、ＣＰＵから構成され、情報処理装置１０Ａを制御する。制御部１１Ａは、復号化部１１０Ａと、判定部１１１Ａと、生成部１１２Ａと、暗号化部１１３Ａと、状態通知部１１４Ａと、を含んで構成される。
【００４８】
復号化部１１０Ａは、無線通信部１２がＰｒｏｂｅ  ｒｅｑｕｅｓｔを受信すると、受信したＰｒｏｂｅ  ｒｅｑｕｅｓｔのＳＳＩＤをｓｅｅｄで復号化して平文に変換する。
【００４９】
判定部１１１Ａは、復号化部１１０Ａが復号化した平文が上述した条件（１）を満たす場合に、無線通信部１２における居住者用移動端末２０との接続状態を判定する。具体的には、判定部１１１Ａは、Ｐｒｏｂｅ  ｒｅｑｕｅｓｔに含まれる宅配事業者名（Ｐｒｏｂｅ  ｒｅｑｕｅｓｔの送信者）が、復号化部１１０Ａが復号化に用いたｓｅｅｄに対応する宅配事業者（宅配事業者用移動端末３０Ａの使用者）と一致する場合であって、Ｐｒｏｂｅ  ｒｅｑｕｅｓｔに含まれる日時情報（Ｐｒｏｂｅ  ｒｅｑｕｅｓｔの送信日時）が現在日時から所定の規定時間内である場合に、居住者用移動端末２０との接続状態を判定する。例えば、判定部１１１Ａは、復号化部１１０Ａが復号化に用いたｓｅｅｄに対応する宅配事業者を記憶部１４が記憶する事業者管理テーブルから読み出す。また、判定部１１１Ａは、日時情報を計時部１７から読み出す。そして、判定部１１１Ａは、復号化した平文にある宅配事業者名と読み出した宅配事業者とが一致し、かつ、復号化した平文にある日時情報が読み出した日時情報から所定の規定時間内である場合に、居住者用移動端末２０との接続状態を無線通信部１２に確認する。
【００５０】
生成部１１２Ａは、判定部１１１Ａが判定した接続状態に応じた通知データを生成する。例えば、生成部１１２Ａは、判定部１１１Ａが確認した接続状態に対応した送信データを記憶部１４が記憶する接続状態管理テーブルから読み出す。続いて、生成部１１２Ａは、計時部１７Ａから日時情報を読み出す。そして、生成部１１２Ａは、読み出した送信データと日時情報とを含む通知データを生成する。
【００５１】
暗号化部１１３Ａは、生成部１１２Ａが生成した通知データを、宅配事業者用移動端末３０Ａと共有している暗号鍵で暗号化する。例えば、暗号化部１１３Ａは、復号化部１１０Ａが復号化に用いたｓｅｅｄで通知データを暗号化する。
【００５２】
状態通知部１１４Ａは、暗号化部１１３Ａが暗号化した通知データを、受信したＰｒｏｂｅ  ｒｅｑｕｅｓｔに対するＰｒｏｂｅ  ｒｅｓｐｏｎｓｅとして無線通信部１２から送信する。例えば、状態通知部１１４Ａは、暗号化部１１３Ａが暗号化した通知データを、Ｐｒｏｂｅ  ｒｅｓｐｏｎｓｅのＶｅｎｄｏｒ  Ｓｐｅｃｉｆｉｃに埋め込む。そして、状態通知部１１４Ａは、通知データを埋め込んだＰｒｏｂｅ  ｒｅｓｐｏｎｓｅを無線通信部１２から送信する。
【００５３】
記憶部１４Ａは、居住者用移動端末２０との「接続状態」と、宅配事業者用移動端末３０Ａに送信する「送信データ」とを対応付けた接続状態管理テーブルを記憶する。また、記憶部１４は、「ｓｅｅｄ」と、「宅配事業者」とを対応付けた事業者管理テーブルを記憶する。
【００５４】
計時部１７Ａは、Ｘ‘ｔａｌ（水晶発振子）等で構成され、現在の日付、時刻を保持する。また、計時部１７Ａは、外部サーバ（不図示）等から日時情報を受信し、計時する日時を補正する。また、計時部１７Ａは、制御部１１Ａからの指示に基づき、現在の日時情報を制御部１１Ａに通知する。
【００５５】
次に、情報処理装置１０Ａの記憶部１４Ａが記憶する事業者管理テーブルについて説明する。図１０は、本発明の第２の実施形態に係る事業者管理テーブルのデータ構造及びデータ例を示す概略図である。
【００５６】
図示するように、事業者管理テーブルは、ｓｅｅｄと、宅配事業者との各項目を有する。ｓｅｅｄは、宅配事業者（宅配事業者用移動端末３０）と共有しているワンタイムパスワード用のｓｅｅｄである。また、宅配事業者は、ワンタイムパスワードを共有している宅配事業者である。本例では、ｓｅｅｄ「＆ｕｙｈＯｎ＃ｈｆ」に対応する宅配事業者は「△△運輸」である。
【００５７】
次に、情報処理装置１０Ａの記憶部１４Ａが記憶する接続状態管理テーブルについて説明する。図１１は、本発明の第２の実施形態に係る接続状態管理テーブルのデータ構造及びデータ例を示す概略図である。
【００５８】
図示するように、接続状態管理テーブルは、移動端末(居住者)状態と、送信データと、日時情報との各項目を有する。移動端末（居住者）状態は、情報処理装置１０Ａと居住者用移動端末２０との接続状態である。送信データは、宅配事業者用移動端末３０Ａに送信するデータである。日時情報は、送信データに付加する日時情報である。
【００５９】
本例では、移動端末（居住者）状態「接続」に対応する送信データは「山田在宅」であり、日時情報は「確認時刻（可変値）」である。また、移動端末（居住者）状態「未接続」に対応する送信データは「山田不在」であり、日時情報は「確認時刻（可変値）」である。
【００６０】
次に、情報処理装置１０Ａが実行する通知処理について説明する。図１２は、本発明の第２の実施形態に係る情報処理装置１０Ａが実行する通知処理の処理手順を示すフローチャートである。
【００６１】
（ステップＳ３０１）制御部１１Ａは、Ｐｒｏｂｅ  ｒｅｑｕｅｓｔの通知を待つ。すなわち、制御部１１Ａは、無線通信部１２がＰｒｏｂｅ  ｒｅｑｕｅｓｔの通知を受信したか否かを判定する。通知を受信したと制御部１１Ａが判定した場合にはステップＳ３０２の処理に進む。また、通知を受信していないと制御部１１Ａが判定した場合にはステップＳ３０１の処理を再度実行する。
【００６２】
（ステップＳ３０２）制御部１１Ａは、ステップＳ３０１において受信したＰｒｏｂｅ  ｒｅｑｕｅｓｔのＳＳＩＤをｓｅｅｄで復号化し、平文に変換する。その後、ステップＳ３０３の処理に進む。
【００６３】
（ステップＳ３０３）制御部１１Ａは、ステップＳ３０２において使用したｓｅｅｄに対応する「宅配事業者」を記憶部１４Ａが記憶する事業者管理テーブルから読み出す。また、制御部１１は、「日時情報」を計時部１７Ａから読み出す。その後、制御部１１Ａは、読み出した情報と、ステップＳ３０２において変換した平文の内容とを照合する。具体的には、制御部１１Ａは、平文に含まれる宅配事業者名が読み出した宅配事業者と一致し、かつ、平文に含まれる日時情報が読み出した日時情報から規定時間（例えば、３分）以内である場合に、照合の結果がＯＫであると判定する。照合の結果がＯＫであると制御部１１Ａが判定した場合にはステップＳ３０４の処理に進む。また、照合の結果がＮＧであると制御部１１Ａが判定した場合にはステップＳ３０１の処理に戻る。
【００６４】
（ステップＳ３０４）制御部１１Ａは、居住者用移動端末２０との「接続状態」を無線通信部１２に確認する。その後、ステップＳ３０５の処理に進む。
【００６５】
（ステップＳ３０５）制御部１１Ａは、ステップＳ３０４において確認した「接続状態」に対応した「送信データ」を、記憶部１４Ａに記憶されている接続状態管理テーブルから読み出す。そして、制御部１１Ａは、読み出した「送信データ」と読み出した「日時情報」と合わせて「通知データ」とする。続いて、制御部１１Ａは、生成した「通知データ」をｓｅｅｄで暗号化する。その後、ステップＳ３０６の処理に進む。
【００６６】
（ステップＳ３０６）制御部１１Ａは、ステップＳ３０５において暗号化した通知データをＶｅｎｄｏｒ  Ｓｐｅｃｉｆｉｃの情報フィールドに埋め込んだＰｒｏｂｅ  ｒｅｓｐｏｎｓｅを生成する。そして、制御部１１Ａは、生成したＰｒｏｂｅ  ｒｅｓｐｏｎｓｅを無線通信部１２から宅配事業者用移動端末３０Ａに返信する。その後、ステップＳ３０１の処理に戻る。
【００６７】
次に、宅配事業者用移動端末３０Ａが実行する通知処理について説明する。図１３は、本発明の第２の実施形態に係る宅配事業者用移動端末３０Ａが実行する通知処理の処理手順を示すフローチャートである。
【００６８】
（ステップＳ４０１）宅配事業者用移動端末３０Ａは、配送先の近所であるか否かを判定する。近所であると宅配事業者用移動端末３０Ａが判定した場合にはステップＳ４０２の処理に進む。また、近所でないと宅配事業者用移動端末３０Ａが判定した場合にはステップＳ４０１の処理を再度実行する。
（ステップＳ４０２）宅配事業者用移動端末３０Ａは、宅配事業者名と現在の日時情報とを含むデータをｓｅｅｄで暗号化する。その後、ステップＳ４０３の処理に進む。
【００６９】
（ステップＳ４０３）宅配事業者用移動端末３０Ａは、ステップＳ４０２において暗号化したデータをＳＳＩＤとするＰｒｏｂｅ  ｒｅｑｕｅｓｔを送信する。その後、ステップＳ４０４の処理に進む。
（ステップＳ４０４）宅配事業者用移動端末３０Ａは、Ｐｒｏｂｅ  ｒｅｓｐｏｎｓｅの通知を待つ。すなわち、宅配事業者用移動端末３０Ａは、Ｐｒｏｂｅ  ｒｅｓｐｏｎｓｅの通知を受信したか否かを判定する。通知を受信したと宅配事業者用移動端末３０Ａが判定した場合にはステップＳ４０５の処理に進む。また、通知を受信していないと宅配事業者用移動端末３０Ａが判定した場合にはステップＳ４０４の処理を再度実行する。
【００７０】
（ステップＳ４０５）宅配事業者用移動端末３０Ａは、ステップＳ４０４において受信したＰｒｏｂｅ  ｒｅｓｐｏｎｓｅのＶｅｎｄｏｒ  Ｓｐｅｃｉｆｉｃにある情報フィールドの通知データをｓｅｅｄで復号化し、平文に変換する。その後、ステップＳ４０６の処理に進む。
（ステップＳ４０６）宅配事業者用移動端末３０Ａは、ステップＳ４０５において変換した平文に基づいて、居住者が在宅であるか不在であるかを判定する。そして、宅配事業者用移動端末３０Ａは、判定した結果を報知する。その後、ステップＳ４０１の処理に戻る。
【００７１】
以上説明してきたように、本実施形態によれば、居住者用移動端末２０と、宅配事業者用移動端末３０Ａと、情報処理装置１０Ａとを備える通知システム１Ａにおける情報処理装置１０Ａは、無線通信する無線通信部１２と、通知データを要求するプローブ要求を無線通信部１２が受信した場合に、無線通信部１２における居住者用移動端末２０との接続状態を判定する判定部１１１Ａと、判定部１１１Ａが判定した接続状態に応じて通知データを生成する生成部１１２Ａと、生成部１１２Ａが生成した通知データを、宅配事業者用移動端末３０と共有している暗号鍵で暗号化する暗号化部１１３Ａと、暗号化部１１３Ａが暗号化した通知データをプローブ要求に対するプローブ応答として無線通信部１２から送信する状態通知部１１４Ａと、を備える。通知データは、居住者用移動端末２０を携帯する居住者が在宅であるか不在であるかを通知するデータである。
【００７２】
これにより、宅配事業者用移動端末３０を携帯している宅配事業者のみが、居住者の状態（在宅であるか不在であるか）を確認することができる。すなわち、通知システム１Ａによれば、第三者への漏えいを防止しつつ、居住者の状態変化を特定の相手に伝えることができる。また、情報処理装置１０Ａは、プローブ要求を受信した場合に、通知データをプローブ応答として返信するため、所定時間毎に通知データを送信する必要がない。よって、情報処理装置１０Ａは、宅配事業者に居住者の状態を通知するための処理負荷を軽減することができる。
【００７３】
また、判定部１１１Ａは、Ｐｒｏｂｅ  ｒｅｑｕｅｓｔに含まれる宅配事業者名が、復号化部１１０Ａが復号化に用いたｓｅｅｄに対応する宅配事業者と一致する場合であって、Ｐｒｏｂｅ  ｒｅｑｕｅｓｔに含まれる日時情報が現在日時から所定の規定時間内である場合に、居住者用移動端末２０との接続状態を判定する。これにより、第三者への漏えいに対する安全性をより向上させることができる。
【００７４】
（第３の実施形態）
次に、本発明の第３の実施形態について説明する。本実施形態における通知システム１Ａの構成は、第２の実施形態のものと同様である。本実施形態では、情報処理装置１０Ａが、居住者用移動端末２０の接続状態を確認した際に、宅配事業者による配送があることを居住者に通知する点が第２の実施形態と異なる。
【００７５】
本実施形態における情報処理装置１０Ａの制御部１１Ａ（報知部）は、判定した居住者用移動端末２０との接続状態に応じて、Ｐｒｏｂｅ  ｒｅｑｕｅｓｔの受信を報知する。例えば、制御部１１Ａは、接続状態が接続である場合には、表示部１６の第２のＳＳＩＤに対応するＬＥＤを点灯させる。これにより、情報処理装置１０Ａは、宅配事業者が配送に来ていることを居住者に通知する。一方、制御部１１Ａは、接続状態が未接続である場合には、表示部１６の第２のＳＳＩＤに対応するＬＥＤを点滅させる。これにより、情報処理装置１０Ａは、宅配事業者による配送確認があったことを居住者の帰宅時などに通知する。本実施形態における通知システム１Ａの他の動作は、第２の実施形態と同様であるため、その説明を省略する。
【００７６】
以上説明してきたように、本実施形態によれば、情報処理装置１０Ａの制御部１１Ａは、居住者用移動端末２０との接続状態に応じて、Ｐｒｏｂｅ  ｒｅｑｕｅｓｔの受信を報知する。これにより、居住者は、在宅している場合には、宅配事業者による配送があることを知ることができる。また、居住者は、不在の場合には、帰宅時等に、宅配事業者による配送があったことを知ることができる。
【００７７】
（第４の実施形態）
次に、本発明の第４の実施形態について説明する。本実施形態における通知システム１Ａの構成は、第２の実施形態のものと同様である。本実施形態では、情報処理装置１０Ａが、宅配事業者用移動端末３０Ａから受信したＰｒｏｂｅ  Ｒｅｑｕｅｓｔが以下の条件（２）を満たす場合に、居住者用移動端末２０との接続状態を確認してＰｒｏｂｅ  ｒｅｓｐｏｎｓｅを宅配事業者用移動端末３０Ａに返信する点が第２の実施形態と異なる。条件（２）は、上述した条件（１）に加えて、現在時刻が予め宅配事業者に依頼した配達時間帯内であることである。
【００７８】
本実施形態における情報処理装置１０Ａの判定部１１１Ａは、現在時刻が予め設定された時間帯内である場合に、無線通信部１２における居住者用移動端末２０との接続状態を判定する。予め設定された時間帯は、予め宅配事業者に依頼した配達時間帯である。例えば、判定部１１１Ａは、復号化部１１０Ａが復号化に用いたｓｅｅｄに対応する配達時間帯を、記憶部１４Ａが記憶する事業者管理テーブルから読み出す。また、判定部１１１Ａは、現在の日時情報を計時部１７から読み出す。そして、判定部１１１Ａは、読み出した日時情報が、読み出した配達時間帯内であるか否かを判定する。
【００７９】
すなわち、判定部１１１Ａは、復号化部１１０Ａが復号化に用いたｓｅｅｄに対応する宅配事業者と平文に含まれる宅配事業者名とが一致し、かつ、平文に含まれる時刻が現在時刻から規定時間内であり、かつ、現在時刻が当該ｓｅｅｄに対応する配送時間帯内である場合に、居住者用移動端末２０との接続状態を判定する。本実施形態における通知システム１Ａの他の動作は、第２の実施形態と同様であるため、その説明を省略する。
【００８０】
次に、情報処理装置１０Ａの記憶部１４Ａが記憶する事業者管理テーブルについて説明する。図１４は、本発明の第４の実施形態に係る事業者管理テーブルのデータ構造及びデータ例を示す概略図である。
【００８１】
図示するように、事業者管理テーブルは、ｓｅｅｄと、宅配事業者と、配達時間帯との各項目を有する。配達時間帯は、宅配事業者に依頼した配達時間帯である。他の項目は、第２の実施形態における事業者管理テーブルと同様であるため、その説明を省略する。本例では、ｓｅｅｄ「＆ｕｙｈＯｎ＃ｈｆ」に対応する宅配事業者は「△△運輸」であり、配達時間帯は「１２／２７  １８：００−１９：００」である。
【００８２】
以上説明してきたように、本実施形態によれば、情報処理装置１０Ａの判定部１１１Ａは、現在時刻が予め設定された配達時間帯内である場合に、居住者用移動端末２０との接続状態を判定する。これにより、第三者への漏えいに対する安全性をより向上させることができる。
【００８３】
図１５は、本発明の実施形態に係る情報処理装置１０，１０Ａのハードウェア構成の一例を示すハードウェア構成図である。情報処理装置１０，１０Ａは、ＣＰＵ５０１と、記憶媒体５０２と、ドライブ部５０３と、入力部５０４と、出力部５０５と、ＲＯＭ５０６（Ｒｅａｄ  Ｏｎｌｙ  Ｍｅｍｏｒｙ：ロム）と、ＲＡＭ５０７（Ｒａｎｄｏｍ  Ａｃｃｃｅｓｓ  Ｍｅｍｏｒｙ：ラム）と、補助記憶部５０８と、通信部５０９と、を備える。ＣＰＵ５０１と、ドライブ部５０３と、入力部５０４と、出力部５０５と、ＲＯＭ５０６と、ＲＡＭ５０７と、補助記憶部５０８と、通信部５０９とは、バスＢ（母線）を介して相互に接続される。
【００８４】
ＣＰＵ５０１は、補助記憶部５０８が記憶するプログラム、ＲＯＭ５０６およびＲＡＭ５０７が記憶する各種データを読み出して実行し、情報処理装置１０，１０Ａを制御する。また、ＣＰＵ５０１は、ドライブ部５０３を介して記憶媒体５０２が記憶する各種データを読み出して実行し、情報処理装置１０，１０Ａを制御する。記憶媒体５０２は、光磁気ディスク、フレキシブルディスク、フラッシュメモリなどの可搬記憶媒体であり、各種データを記憶する。ドライブ部５０３は、光ディスクドライブ、フレキシブルディスクドライブなどの記憶媒体５０２の読み出し装置である。入力部５０４は、マウス、キーボード、タッチパネルなどの入力装置である。出力部５０５は、表示部、スピーカなどの出力装置である。ＲＯＭ５０６、ＲＡＭ５０７は、各種データを一時的に記憶する。補助記憶部５０８は、ハードディスクドライブ、フラッシュメモリなどであり、上述した情報処理装置１０，１０Ａの各機能部を動作させるためのプログラム、各種データを記憶する。通信部５０９は、通信インターフェースを有し、有線または無線によりネットワークＮＷに接続される。
【００８５】
ＣＰＵ５０１が制御部１１，１１Ａを構成し、記憶媒体５０２、ドライブ部５０３、ＲＯＭ５０６、ＲＡＭ５０７及び補助記憶部５０８が記憶部１４，１４Ａを構成し、入力部５０４が操作部１３を構成し、出力部５０５が表示部１６を構成し、通信部５０９が無線通信部１２及び回線Ｉ／Ｆ部１５を構成する。
【００８６】
以上、この発明の一実施形態について図面を参照して詳述してきたが、具体的な構成はこの実施形態に限られるものではなく、この発明の要旨を逸脱しない範囲の設計等も含まれる。
【００８７】
例えば、上述した実施形態では、宅配事業者に居住者の状態（在宅または不在）を通知するシステムについて説明したが、これに限らず、通知システム１，１Ａは居住者の状態を特定の相手に通知するものであればよい。
【００８８】
また、上述した実施形態では、通知データに含めるダミーデータを日時情報としたが、これに限らず、ダミーデータは通知データにランダム性を持たせるものであれば他のデータであってもよい。
【００８９】
なお、上述した実施形態における情報処理装置１０，１０Ａまたは情報処理装置１０，１０Ａの一部、例えば、制御部１１，１１Ａをコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、情報処理装置１０，１０Ａに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００９０】
（１）第１の移動端末と、第２の移動端末と、情報処理装置とを備える通知システムにおける情報処理装置であって、無線通信する無線通信部と、無線通信部における第１の移動端末との接続状態を判定する判定部と、判定部が判定した接続状態に応じた通知データを生成する生成部と、生成部が生成した通知データを、第２の移動端末と共有している暗号鍵で暗号化する暗号化部と、暗号化部が暗号化した通知データを無線通信部から送信する状態通知部と、を備えることを特徴とする情報処理装置。
【００９１】
（２）判定部は、所定時間毎に第１の移動端末との接続状態を判定し、状態通知部は、通信に関する第１のＳＳＩＤ（Ｓｅｒｖｉｃｅ  Ｓｅｔ  Ｉｄｅｎｔｉｆｉｅｒ）と異なる第２のＳＳＩＤとして通知データを送信することを特徴とする（１）に記載の情報処理装置。
【００９２】
（３）状態通知部は、通知データを要求するプローブ要求に対するプローブ応答として通知データを送信することを特徴とする（１）に記載の情報処理装置。
（４）第２の移動端末の使用者を記憶する記憶部を備え、判定部は、プローブ要求の送信者が、記憶部が記憶する使用者と一致する場合に、第１の移動端末との接続状態を判定することを特徴とする（３）に記載の情報処理装置。
【００９３】
（５）判定部は、プローブ要求の送信時刻が所定の規定時間内である場合に、第１の移動端末との接続状態を判定することを特徴とする（３）または（４）に記載の情報処理装置。
（６）判定部は、現在時刻が予め設定された時間帯内である場合に、第１の移動端末との接続状態を判定することを特徴とする（３）から（５）いずれか１項に記載の情報処理装置。
【００９４】
（７）判定部が判定した接続状態に応じて、プローブ要求の受信を報知する報知部、を備えることを特徴とする（３）から（６）いずれか１項に記載の情報処理装置。
【００９５】
（８）通知データは、第１の移動端末との接続状態に応じた送信データとダミーデータとを含むことを特徴とする（１）から（７）いずれか１項に記載の情報処理装置。
（９）第１の移動端末は、情報処理装置が設置された住居の居住者が携帯する移動端末であり、通知データは、居住者が在宅であるか不在であるかを通知するデータであることを特徴とする（１）から（８）いずれか１項に記載の情報処理装置。
【００９６】
（１０）第１の移動端末と、第２の移動端末と、情報処理装置とを備える通知システムであって、情報処理装置は、無線通信する無線通信部と、無線通信部における第１の移動端末との接続状態を判定する判定部と、判定部が判定した接続状態に応じた通知データを生成する生成部と、生成部が生成した通知データを、第２の移動端末と共有している暗号鍵で暗号化する暗号化部と、暗号化部が暗号化した通知データを無線通信部から送信する状態通知部と、を備え、第２の移動端末は、情報処理装置が送信した通知データを受信し、受信した通知データを情報処理装置と共有している暗号鍵で復号化することを特徴とする通知システム。
【００９７】
（１１）第１の移動端末と、第２の移動端末と、情報処理装置とを備える通知システムにおける情報処理装置のコンピュータに、無線通信する無線通信部における第１の移動端末との接続状態を判定する判定ステップと、判定ステップが判定した接続状態に応じて通知データを生成する生成ステップと、生成ステップが生成した通知データを、第２の移動端末と共有している暗号鍵で暗号化する暗号化ステップと、暗号化ステップが暗号化した通知データを無線通信部から送信する状態通知ステップと、を実行させるためのプログラム。
【符号の説明】
【００９８】
１，１Ａ・・・通知システム、１０，１０Ａ・・・情報処理装置、２０・・・居住者用移動端末、３０，３０Ａ・・・宅配事業者用移動端末、１１，１１Ａ・・・制御部、１２・・・無線通信部、１３・・・操作部、１４，１４Ａ・・・記憶部、１５・・・回線Ｉ／Ｆ部、１６・・・表示部、１７，１７Ａ・・・計時部、１１０Ａ・・・復号化部、１１１，１１１Ａ・・・判定部、１１２，１１２Ａ・・・生成部、１１３，１１３Ａ・・・暗号化部、１１４，１１４Ａ・・・状態通知部
【図１】
2017143380.tif 000003
【図２】
2017143380.tif 000004
【図３】
2017143380.tif 000005
【図４】
2017143380.tif 000006
【図５】
2017143380.tif 000007
【図６】
2017143380.tif 000008
【図７】
2017143380.tif 000009
【図８】
2017143380.tif 000010
【図９】
2017143380.tif 000011
【図１０】
2017143380.tif 000012
【図１１】
2017143380.tif 000013
【図１２】
2017143380.tif 000014
【図１３】
2017143380.tif 000015
【図１４】
2017143380.tif 000016
【図１５】
2017143380.tif 000017